(57)【特許請求の範囲】
【請求項１】
スイッチケースと、その内部へ進退動自在に収容されるスライダとを備えるとともに、スライダの移動を案内するため、スライダの側面に突出形成されたレールと、これを摺動自在に嵌合するためスイッチケースの内面側に設けられたガイド溝とを備えたスイッチにおいて、前記スライダのガイド溝と摺接する摺動部を略円形の曲面に形成するとともに、
この摺動部を直線状に貫いて摺動部からスライド方向へ突出する部分を有するガイド部を設けたことを特徴とするスイッチのスライダ構造。
【請求項２】
前記摺動部とガイド部を有するレールをスライド方向へ離隔して対で設けたことを特徴とする請求項１に記載したスイッチのスライダ構造。
【請求項３】
スイッチケースと、その内部へ進退動自在に収容されるスライダとを備えるとともに、スライダの移動を案内するため、スライダの側面に突出形成されたレールと、これを摺動自在に嵌合するためスイッチケースの内面側に設けられたガイド溝とを備えたスイッチにおいて、前記スライダのガイド溝と摺接する摺動部を曲面に形成し、
前記レールをスライド方向へ離隔して対で設け、
前記一対のレールのうち、一方の摺動部を小さくし、他方を大きくしたことを特徴とするスイッチのスライダ構造。
【発明の詳細な説明】
【０００１】
【発明の属する技術分野】
この出願は、スライダを進退動させることにより接点を切り換えるようにしたスイッチにおけるスライダ構造に関する。
【０００２】
【従来の技術】
このようなスイッチとして、スイッチケースと、その内部へ進退動自在に収容されたスライダとを備えるとともに、スライダの移動を案内するため、スライダの側面に突出形成されたレールと、これを摺動自在に嵌合するためスイッチケースの内面へ設けられたガイド溝とを備えたものが公知である。なお、スライダのガイド溝に対する摺動部は、面で接触するようになっている（図４の（ａ）部分参照）。
【０００３】
【発明が解決しようとする課題】
ところで、上記のように摺動部がガイド溝へ面で接触する構造の場合、スライダをスイッチケースへ収容するとき傾くと、摺動部をガイド溝へ嵌合できないため、組み付けが難しくなる。また、ガイド溝が曲がる等変形をしている場合は、レールをガイド溝へ嵌合後に摺動が困難になり、スライダの進退動がスムーズにできなくなる。さらに、スライド方向に離隔して同一構造の摺動部を対で設けた場合には、ガイド溝に抜き勾配を設けることができないので、ガイド溝の成形が困難になる。本願発明はこれらの問題点を解決するものである。
【０００４】
【課題を解決するための手段】
上記課題を解決するため本願に係るスイッチのスライダ構造に関する第１の発明は、スイッチケースと、その内部へ進退動自在に収容されるスライダとを備えるとともに、スライダの移動を案内するため、スライダの側面に突出形成されたレールと、これを摺動自在に嵌合するためスイッチケース側に設けられたガイド溝とを備えたスイッチにおいて、前記スライダのガイド溝と摺接する摺動部を略円形の曲面に形成するとともに、
この摺動部を直線状に貫いて摺動部からスライド方向へ突出する部分を有するガイド部を設けたたことを特徴とする。
【０００５】
第２の発明は上記第１の発明において、前記摺動部とガイド部を有するレールをスライド方向へ隔離して対で設けたことを特徴とする。
【０００６】
第３の発明は、スイッチケースと、その内部へ進退動自在に収容されるスライダとを備えるとともに、スライダの移動を案内するため、スライダの側面に突出形成されたレールと、これを摺動自在に嵌合するためスイッチケースの内面側に設けられたガイド溝とを備えたスイッチにおいて、前記スライダのガイド溝と摺接する摺動部を曲面に形成し、前記レールをスライド方向へ離隔して対で設け、前記一対のレールのうち、一方の摺動部を小さくし、他方を大きくしたことを特徴とする。
【０００７】
【発明の効果】
第１の発明によれば、レールの摺動部を曲面に形成したので、ガイド溝に対して点接触となる。したがってスライダがスイッチケースに対して多少傾いた状態で組み付ける場合であっても、摺動部がスムーズにガイド溝へ嵌合するようになり、組み付け性が向上する。しかも、点接触で修道するため、スライド荷重も小さくなる。
【０００８】
第２の発明によれば、前記摺動部をスライド方向へ離隔して対で設けても、それぞれが点接触でガイド溝へ接触するため、ガイド溝が曲がる等、多少の変形をしていてもスムーズにスライドすることができる。
【０００９】
第３の発明によれば、離隔配置した一対の摺動部のうち、一方を小さくし、他方を大きくすることにより、ガイド溝に抜き勾配を設けることができ、その結果ガイド溝の成形が容易になる。
【００１０】
【発明の実施の形態】
以下、図面に基づいて一実施例を説明する。図１は本実施例の適用されたスイッチの要部構成部品を示す図、図２はこのスイッチの分解斜視図、図３及び図４はそれぞれ作用を説明する図である。
【００１１】
まず、図２において、共通スイッチケース１の中に、２つの独立したスライダ２がそれぞれの長手方向へ進退動自在に収容され、独立した２つのスイッチが設けられている。但し、２つのスイッチ構造は同じであるため、以下、一方側についてのみ説明する。
【００１２】
スライダ２の一端部である頭部３は、共通スイッチケース１におけるスライダ２のスライド方向一端部に形成された各開口部４から突出し、ここにノブ５が被せられる。ノブ５にはレンズ部５ａが設けられ、スライダ２の内部に設けられた光源により所定のマーク等を透過光表示するようになっている。
【００１３】
スライダ２はノブ５を押し込むことにより、共通スイッチケース１内を移動し、接点を切り換えるようになっている。また、スライダ２と共通スイッチケース１の間には図示省略のリターンスプリングが設けられ、ノブ５を離すと押し込まれていたスライダ２が中立位置へ戻るようになっている。
【００１４】
図１はスライダ２及びそのガイド構造の詳細を示し、（ａ）にレール６及び７を設けたスライダ２の一側面側を示し、（ｂ）にガイド溝８を示してある。
【００１５】
レール６及びレール７はそれぞれ、スライダ２の一側面におけるスライド方向同一線上に離隔配置され、略円形の摺動部１０，１１とそれぞれを一体の直線状に貫くような形状のガイド部１２，１３とを備える。
【００１６】
頭部３側に位置するレール６は、摺動部１０及びガイド部１３がいずれもレール７より若干小さく形成されている。逆に、レール７は、摺動部１１及びガイド部１３がいずれもレール６より若干大きく形成されている。
【００１７】
なお、ガイド部１２及びガイド部１３は同一直線上に設けられ、摺動部１０と摺動部１１の中心もこの線上に存在する。ガイド部１２とガイド部１３は、互いに連続せず分断されている。また、それぞれは摺動部１０及び摺動部１１の両側へ延出しているが、その延出量は、摺動部１０及び摺動部１１の間に設けられる部分の方が他側に設けられる部分よりも長くなっている。
【００１８】
図中の符号１４は接点スプリングであり、スライダ２のスライドにより一体に移動して、共通スイッチケース１内に設けられている摺動接点（図示せず）と接離してスイッチのＯＮ、ＯＦＦ等を切り換えるようになっている。
【００１９】
一方、（ｂ）に示すガイド溝８は、共通スイッチケース１の内面側へスライダ２のスライド方向に沿って長く形成される溝であり、レール６が嵌合する部分であるＡ部は溝幅一定である。また、長さ方向反対側のＣ部は、レール７が嵌合する部分であり、この部分も溝幅一定である。
【００２０】
但し、Ａ部は比較的小さな摺動部１０を嵌合する程度の比較的狭い幅であり、Ｃ部は逆に比較的大きな摺動部１１が嵌合するに足る比較的広い幅になっている。Ａ部とＣ部の中間であるＢ部は、Ｃ部側からＡ部側へ向かって次第に狭くなるように溝幅が変化する抜き勾配をつけられた部分である。
【００２１】
また、ガイド溝８を形成するため、ガイド溝８を挟んで対向する突条部１５，１６のうち、Ｃ部の延長部１５ａ、１６ａはそれぞれテーパ状をなし、その間に組み付け案内部１７が形成されている。組み付け案内部１７はガイド溝８の延長部でかつ幅がテーパー状に拡大する部分である。
【００２２】
次に、本実施例の作用を説明する。スライダ２を、共通スイッチケース１へ組み付けるには、スライダ２の頭部３側を共通スイッチケース１の開口部４と反対側の開口部から中へ入れ、レール６をガイド溝８へ嵌合させる。このとき、延長部１５ａと延長部１６ａにより案内部１７が形成されているので、容易にガイド溝８内へ嵌合する。
【００２３】
図１の（ｂ）はこの組み付け時におけるレール６及びレール７の挙動を示すものであり、まず、レール６がガイド溝８内へ嵌合すると、摺動部１０がガイド溝８に対して点接触するため、この接触点を中心にスライダ２が回動し易くなる。
【００２４】
ところが、このような回動が生じると、ガイド部１２がガイド溝８の両側にある突条部１５，１６と接触してストッパとなり、回動をある程度以上にならないように規制する。このため、レール６に続くレール７もスムーズにガイド溝８へ嵌合可能となる。しかも、ガイド部１２が摺動部１０から摺動部１１方向へより長く延出しているので、回動量をより小さくすることができる。
【００２５】
スライド２を共通スイッチケース１へ組み付けると、レール６がガイド溝８のＡ部へ嵌合し、レール７がＣ部へ嵌合する図１の（ｂ）の状態になる。この状態で、ガイド溝８内を移動するとき、摺動部１０及び摺動部１１がガイド溝８を形成する壁面と点接触で摺動するため、移動がスムーズになり、スライド荷重が小さくなる。
【００２６】
図４は、ガイド溝８が湾曲状等に曲り変形した状態を誇張して示す図であり、このうち、（ａ）は比較例であり、この例のレールは、ガイド溝８に対して面接触する略四角形の摺動部２０，２１とこれらを直接結ぶガイド２２で構成されている。このような構造の場合、ガイド溝８が図示のように曲がっていれば、摺動部２０，２１やガイド２２がガイド溝８の変形部における壁面と干渉し、移動が極めて困難になる。
【００２７】
一方、（ｂ）に示すように、本実施例のようなレール６，７の構造を採用すれば、摺動部１０，１１がガイド溝８の壁面と点接触であり、かつガイド部１２と同１３の間が分断しているので、前記のようなガイド溝８の変形部に対しても比較的スムーズに通過でき、スライド荷重も小さくなる。
【００２８】
さらに、レール６とレール７の大きさを大小に相違させてあるので、図１に明らかなように、ガイド溝８のうち、比較的長い範囲であるＢ部に抜き勾配をつけることができる。一方、このような配慮を欠いた場合には、Ｄに示すように、Ａ〜Ｃの全範囲の溝幅を一定にしなければならない。ゆえに、抜き勾配を設けることにより、ガイド溝８の形成が容易になる。
【図面の簡単な説明】
【図１】本実施例の適用されたスイッチの要部構成部品を示す図
【図２】このスイッチの分解斜視図
【図３】はそれぞれ作用を説明する図
【図４】同上図
【符号の説明】
１：共通スイッチケース、２：スライダ、３：頭部、６：レール、７：レール、８：ガイド溝、１０：摺動部、１１：摺動部、１２：ガイド部、１３：ガイド部
【図１】
0004197554.tif 000002
【図２】
0004197554.tif 000003
【図３】
0004197554.tif 000004
【図４】
0004197554.tif 000005